(57)【要約】【課題】風荷重によって移動してしまうことを効果的に防止できる太陽電池モジュール設置構造体を提供する。【解決手段】太陽電池モジュール１０１を板状部材１０２の一面に固定し、この板状部材１０２を設置面上にその一辺が接触するように配設し、板状部材１０２の太陽電池モジュール固定面と反対側の面を第一の支持部材１０３に当接させ、且つ、板状部材１０２の前記一辺を含む面のうち、第一の支持部材１０３と当接しない面の少なくとも一部を第二の支持部材１０３に当接させた構造を特徴とする。【選択図】　　　図１
2004006702.tif 000002
【特許請求の範囲】
【請求項１】
太陽電池モジュールを板状部材の一面に固定し、前記板状部材を設置面上にその一辺が接触するように配設し、前記板状部材の太陽電池モジュール固定面に対して反対側の面を第一の支持部材に当接させ、且つ、前記板状部材の前記一辺を含む面のうち、前記第一の支持部材と当接しない面の少なくとも一部を第二の支持部材に当接させた構造を有することを特徴とする太陽電池モジュール設置構造体。
【請求項２】
前記一辺が、所定の幅を有していることを特徴とする請求項１に記載の太陽電池モジュール設置構造体。
【請求項３】
前記第二の支持部材が、第二の板状部材の太陽電池モジュール固定面に対して反対側の面と接触して、前記第二の板状部材を支持する支持部材であることを特徴とする請求項１又は２に記載の太陽電池モジュール設置構造体。
【請求項４】
前記板状部材がコンクリート材料から成型されていることを特徴とする請求項１乃至３のいずれか一項に記載の太陽電池モジュール設置構造体。
【請求項５】
前記板状部材と前記支持部材が同一の形状、材料であることを特徴とする請求項１乃至４のいずれか一項に記載の太陽電池モジュール設置構造体。
【請求項６】
前記太陽電池モジュールが、前記板状部材に接着剤で固定されていることを特徴とする請求項１乃至５のいずれか一項に記載の太陽電池モジュール設置構造体。
【請求項７】
前記接着剤は弾性接着剤であることを特徴とする請求項６に記載の太陽電池モジュール設置構造体。
【請求項８】
前記接着剤が前記太陽電池モジュールの周囲に設けられていることを特徴とする請求項６又は７に記載の太陽電池モジュール設置構造体。
【請求項９】
前記太陽電池モジュールが、ステンレス鋼基板上に形成されたアモルファスシリコンから構成されていることを特徴とする請求項１乃至８のいずれか一項に記載の太陽電池モジュール設置構造体。
【請求項１０】
前記設置面と接する前記板状部材の一辺と、前記設置面の間に、絶縁部材を配置したことを特徴とする請求項１乃至９のいずれか一項に記載の太陽電池モジュール設置構造体。
【請求項１１】
請求項１乃至１０のいずれか一項に記載の太陽電池モジュール設置構造体から構成された太陽電池モジュールアレイ。
【請求項１２】
請求項１１に記載の太陽電池モジュールアレイ及びパワーコンディショナから構成された太陽光発電システム。
【発明の詳細な説明】
【０００１】
【発明の属する技術分野】
本発明は、太陽電池モジュール設置構造体、太陽電池モジュールアレイ及び太陽光発電システムに関する。
【０００２】
【従来の技術】
従来、環境問題に対する意識の高まりが、世界的に広がりを見せている。中でも、ＣＯ２排出に伴う地球の温暖化現象に対する危惧感は深刻で、クリーンなエネルギーへの希求はますます強まってきている。太陽電池モジュールは現在のところ、その安全性と扱いやすさから、クリーンなエネルギー源として期待のもてるものだということができる。
【０００３】
近年では、屋根設置以外の太陽電池モジュールの設置形態として様々なタイプが提案されてきており、以下のようなものがある。
【０００４】
図２は、従来の架台設置型太陽電池モジュールを使用した太陽電池モジュール設置構造体の概略図である。図において、２００１は太陽電池モジュール、２００２はコンクリート基礎、２００３は枠体、２００４はアンカーである。
【０００５】
このタイプの太陽電池モジュール設置構造体の特徴は、太陽電池モジュールをアルミフレームなどの枠体に組み込むことによって構造上の強度を保たせ、表面をガラス、裏面を樹脂などによって光起電力素子を充填封止することで十分な電気絶縁性、耐候性を確保するとともに、地面にアンカーを打ち込むことによって、架台自体の耐風圧強度を増した構造としている点にあり、現在最も一般的なものとして広く普及している。
【０００６】
一方、架台や太陽電池モジュールの基材として、近年、安価性からコンクリート部材が注目されている。
【０００７】
従来の骨組み枠架台ではなく、コンクリート部材を架台として使用したものとして、図３に示すようなものが知られている。
【０００８】
図３は、特許文献１に記載された太陽電池モジュール専用の軽量気泡コンクリートからなる架台の例である。図３において、３００１は太陽電池モジュール、３００２は軽量発泡コンクリート架台、３００３は係止具である。この構成によれば、コンクリート架台上に釘などで取り付け具を固定でき、また架台そのものは大地に置くだけで太陽電池モジュール設置面が傾斜を形成しており、作業性が向上するというものである。
【０００９】
【特許文献１】
実開平５−５７８５７号公報
【００１０】
【発明が解決しようとする課題】
ところが、従来型の架台設置型太陽電池モジュール設置構造体はもちろんのこと、従来のコンクリート部材を架台として使用した太陽電池モジュール設置構造体であっても、コスト削減には限界があった。なぜなら、コンクリート体を所望の大きさ、傾斜角で、太陽電池モジュール用架台として作成しなければならないからである。
【００１１】
そこで本発明者は、太陽電池モジュール設置構造体の架台の材料コストや施工コストを下げる検討を行い、以下のような構造体を考えた。
【００１２】
すなわち、太陽電池モジュールを支える板状部材として、矩形の板状部材を用い、その板状部材を太陽電池モジュール設置のために傾斜させる方法として支持部材を用い、太陽電池モジュールの設置に必要な傾斜を設けることで、架台の原材料費、及び設置工事費の削減を図ることである。
【００１３】
しかし、上記のような太陽電池モジュール設置構造体を形成する場合、以下のような問題点がわかってきた。
【００１４】
（風圧力による板状部材のずれの問題）
図４に示すように板状部材４０３を設置した場合、板状基材４０３に矢印４０１の向きの風があたると、風のあたる面と垂直な方向にも力が働く。つまり、太陽電池モジュール４０２の固定面４０９、及びその反対側の面４０５には、板状部材４０３を上に揚げようとする力（揚力）、側面４０４には、板状部材４０３を横に動かそうとする力（抗力）が働く。一般的にその力は、風力係数（表面性状、傾斜角に依存）、受風面積、速度圧（風速の２乗に比例）の積で計算され、風速の２乗に比例して、各板状部材に働く揚力、抗力が増す。
【００１５】
また、図４のように板状部材４０３が設置面４０７と支持部材４０６にそれぞれ一辺で接して支持されている場合、設置面４０７と板状部材４０３の接触面積及び支持部材４０６と板状部材４０３の接触面積が小さい。このとき、板状部材４０３と設置面４０７の摩擦力が小さいのであるが、そのような状態で、図のような力が作用したとき、揚力によって自重が小さくなることによってさらに、板状部材と設置面の摩擦力が小さくなり、板状部材の耐風圧強度以前の強風で板状部材が横ずれしてしまう。
【００１６】
そこで本発明は、太陽電池モジュール設置用架台が風荷重によって移動してしまうことを効果的に防止できる太陽電池モジュール設置構造体、太陽電池モジュールアレイ及び太陽光発電システムを提供することを目的とする。
【００１７】
【課題を解決するための手段】
本発明者は鋭意研究開発を重ねた結果、次のような太陽電池モジュール設置構造体が最良であることを見いだした。
【００１８】
すなわち、本発明の太陽電池モジュール設置構造体は、太陽電池モジュールを板状部材の一面に固定し、前記板状部材を設置面上にその一辺が接触するように配設し、前記板状部材の太陽電池モジュール固定面に対して反対側の面を第一の支持部材に当接させ、且つ、前記板状部材の前記一辺を含む面のうち、前記第一の支持部材と当接しない面の少なくとも一部を第二の支持部材に当接させた構造を有することを特徴としているものである。
【００１９】
本発明の太陽電池モジュール設置構造体は、さらなる特徴として、
「前記一辺が、所定の幅を有していること」、
「前記第二の支持部材が、第二の板状部材の太陽電池モジュール固定面に対して反対側の面と接触して、前記第二の板状部材を支持する支持部材であること」、「前記板状部材がコンクリート材料から成型されていること」、
「前記板状部材と前記支持部材が同一の形状、材料であること」、
「前記太陽電池モジュールが、前記板状部材に接着剤で固定されていること」、「前記接着剤は弾性接着剤であること」、
「前記接着剤が前記太陽電池モジュールの周囲に設けられていること」、
「前記太陽電池モジュールが、ステンレス鋼基板上に形成されたアモルファスシリコンから構成されていること」、
「前記設置面と接する前記板状部材の一辺と、前記設置面の間に、絶縁部材を配置したこと」、
を含む。
【００２０】
また本発明は、上記本発明の太陽電池モジュール設置構造体から構成された太陽電池モジュールアレイ、さらにはこの太陽電池モジュールアレイ及びパワーコンディショナから構成された太陽光発電システムを包含する。
【００２１】
本発明によれば、風荷重による板状部材の横ずれを効果的に防止することができ、このような横ずれによって引き起こされる配線等の切断を防止することができる。
【００２２】
また、板状部材がコンクリート部材であることによって、架台のコストアップを極力抑えることができると同時に、特に軽量な空洞コンクリートを使用すれば、設置作業性、施工性が向上し、結果としてコストダウンを図ることができる。
【００２３】
また、板状部材を支持部材に突き当てながら設置面上に配設できるので、最初に設置する支持部材、板状部材さえ位置決めすれば、後の設置は、板状部材を支持部材に突き当てていくだけで設置することができるので、面倒な位置決め作業の時間を短縮することができる。
【００２４】
また、太陽電池モジュールを板状部材表面に接着剤で固定することによって、風荷重による太陽電池モジュールの引き剥がしの心配がなく、特に弾性接着剤や弾性のある両面テープで固定した場合には、太陽電池モジュールと板状部材の熱膨張率の差を接着層が吸収するので信頼性が向上する。また、太陽電池モジュールをその周囲（周縁部）において板状部材に固定することで、太陽電池モジュールの張替え交換が容易になる。
【００２５】
また、設置面と接する板状部材の一辺と、設置面の間に、絶縁部材を配置することにより、一部電路が露出した太陽電池モジュールや絶縁被覆が施されていない電線からのリーク電流量をさらに少なくすることができる。
【００２６】
【発明の実施の形態】
以下、本発明の実施の形態について、図１を用いて説明する。尚、本発明はこの例に限られるものではない。
【００２７】
図１は本発明の太陽電池モジュール設置構造体を説明するための概略図である。図において、１０１は太陽電池モジュール、１０２は板状部材、１０３は支持部材、１０４は接続ケーブル、１０５は接続部材（リングスリーブ）、１０６は架台間距離、１０７は板状部材の傾斜角である。
【００２８】
図１のように、太陽電池モジュール１０１が板状部材１０２の上面に固定されている。また、板状部材１０２が設置面（大地等）及び支持部材１０３にそれぞれ一辺で接触して設置され、ある列の板状部材１０２の太陽電池モジュール固定面側上部と隣接する次の列の支持部材１０３が接触している。
【００２９】
以下に、本発明の太陽電池モジュール設置構造体を構成する各部材について説明する。
【００３０】
［太陽電池モジュール］
本発明に用いられる太陽電池モジュールは薄くて軽量なタイプが好ましい。太陽電池モジュールの光起電力層は単結晶シリコン、多結晶シリコン等の結晶系、アモルファスシリコン、ＣＩＧＳ、ＣＩＳなどの化合物半導体など使用できる。
【００３１】
太陽電池モジュールの好適な具体例としては、例えばステンレス基板上に形成されたアモルファスシリコンから構成される光起電力素子を使用できる。この構成であれば、薄型、軽量の太陽電池モジュールを作製する上で非常に都合がよい。またフレキシブルな構造なため、例えば架台面が曲面状であっても貼り付け固定できる。
【００３２】
ステンレス基板上に形成されたアモルファスシリコンから構成される光起電力素子を用いた太陽電池モジュールについて図６及び図７を用いて説明する。
【００３３】
図６（ａ）は光起電力素子の平面図であり、図６（ｂ）は図６（ａ）中のＡ−Ａ’面における断面図である。図７は図６の光起電力素子の受光面および裏面を樹脂封止した状態を示す例であり、図７（ａ）は受光面側からみた図、図７（ｂ）は図７（ａ）中のＢ−Ｂ’面における断面図である。
【００３４】
図６、図７において、６００１はステンレス鋼基板、６００２は半導体光活性層、６００３は集電電極、６００４は正極銅タブ、６００５は絶縁両面テープ、６００６は負極銅タブ、６００７は耐候性塗膜、６００８は裸銅単線、７００１はＥＶＡ樹脂、７００２はＥＴＦＥ樹脂である。
【００３５】
図６、図７に示したような太陽電池モジュールは、例えば以下のようにして作製できる。
【００３６】
まず洗浄したステンレス鋼基板６００１上に、スパッタ法で裏面側の金属電極層（あるいは光反射層）としてＡｌ層とＺｎＯ層を順次形成する。ついで、プラズマＣＶＤ法によりａ−Ｓｉの半導体層を形成する。次に、透明導電層として、Ｉｎ２Ｏ３薄膜を抵抗加熱法で蒸着する事によって半導体光活性層６００２を形成する。そしてスクリーン印刷などにより銀ペーストを形成することで集電電極６００３を形成する。
【００３７】
さらに、集電電極６００３はステンレス鋼基板の両側にある正極銅タブ６００４に接続される。正極銅タブはステンレス鋼基板に絶縁両面テープ６００５で固定されており、裏面の負極銅タブ６００６はステンレス鋼基板にレーザー溶接されている。そして受光面側のみに、耐候性塗膜６００７を塗布してある。
【００３８】
次に、太陽電池モジュール同士の直列接続用の裸銅単線６００８を略コの字形状に加工して、正極タブ６００４、負極タブ６００６に電気的に接合している。
【００３９】
最後に、図７に示すように、受光面側にＥＴＦＥ樹脂７００２とＥＶＡ樹脂７００１の積層体を、非受光面にＥＶＡ樹脂７００１を真空ラミネーターによりラミネーションしている。
【００４０】
本発明の太陽電池モジュール設置構造体を多数もちいてシステム化する場合などは、太陽電池モジュール同士を直列化し、直列体としておけば、現場での接続作業が少なくすむので、コストを下げることが可能となる。
【００４１】
尚、本発明における太陽電池モジュールは上記記載の太陽電池モジュールの例に限られるものではなく、従来の表面部材がガラスの枠付き太陽電池モジュールでも構わない。
【００４２】
［板状部材］
板状部材としては、電気部品を設置できて、ある程度の厚みをもち、構造強度を有するものなら、基本的に何でも使用可能である。
【００４３】
図８に板状部材の概念図を示す。図８（ａ）は、板状部材１０２が板状部材設置面８０５及び支持部材１０３にそれぞれ一辺で接触して設置された状態を示す斜視図である。図８（ｂ）は、板状部材１０２と板状部材設置面８０５との接触部分を示す模式図である。図８（ｃ）は、板状部材設置面８０５と接触する一辺を含み支持部材１０３と当接しない板状部材の面８０２の形状例を示す斜視図である。図中、８０１は板状部材１０２の太陽電池モジュール固定面、８０３は支持部材１０３と当接する太陽電池モジュール固定面８０１に対して反対側の面、８０４は板状部材設置面８０５と接触する板状部材の一辺、８０２は前記一辺８０４を含み支持部材１０３と当接しない面である。
【００４４】
板状部材設置面８０５と板状部材１０２が接触する一辺８０４は、通常、図８（ｂ）に示すように、ある幅をもっている。
【００４５】
また、前記一辺８０４を含み、支持部材１０３と当接しない面８０２は、図８（ｃ）に示す斜線部の面で、図示のように面がえぐれているような構造でも、任意の凹凸形状を有する構造であってもよい。
【００４６】
板状部材１０２の材料としては、コンクリート部材がコスト、構造強度、重量の点から扱いやすく、有用である。コンクリート部材を用いる場合、設置現場で型枠を組んで、打設、硬化して作製してもいいが、現場作業は、季節、天候、養生方法などにより硬化条件が変動する場合があるので、予め工場で作製したものを設置現場に運び入れるほうがよい。
【００４７】
一般的には太陽光発電システムの発電規模が決まると、太陽電池モジュール設置構造体のサイズが決まるので、大量作製する上でもコンクリート架台（板状部材）は工場で予め作製したほうが都合がよい。また、設置現場に運び入れる際、板状であるため作業性がよく、また運搬効率が高いものである。
【００４８】
また、図９の（ａ）に示される空洞コンクリート９００１や、図９の（ｂ）に示される横筋用コンクリート９００２は、低価格、軽さ、高強度などの理由から非常に有用である。
【００４９】
より具体的には、板状部材としてのコスト、板状部材自体の強度、扱いやすさ等の面からＪＩＳＡ５４０６等に規定されている建築用コンクリートブロック内の空洞コンクリート部材が特に好ましい。
【００５０】
（空洞コンクリート）
コンクリートは、セメントと粗骨材、細骨材、水を練り混ぜて、型に流しこみ、固めることによって、構造体として用いることができる。一般的に最も使用されるポルトランドセメントは、クリンカー（Ｃ３Ｓ（エーライト）、Ｃ２Ｓ（ビーライト）、Ｃ３Ａ（アルミネート相）、Ｃ４ＡＦ（フェライト相）、ＣａＳ４・２Ｈ２Ｏ（二水石膏））から構成されており、それに粗骨材（砂利）、細骨材（砂）、水を加えて水和反応を起こし、水和生成物（カルシウムシリケート水和物（Ｃ−Ｓ−Ｈ））、水酸化カルシウム等を形成し、セメント粒子間、骨材間を相互に結び付け、固まる。尚、上記のＣはＣａＯ、ＳはＳｉＯ２、ＡはＡｌ２Ｏ３、ＦはＦｅ２Ｏ３、ＨはＨ２Ｏである。
【００５１】
骨材には、天然骨材（川砂、海砂、山砂など）と人工骨材がある。
【００５２】
〔支持部材〕
支持部材１０３は、板状部材１０２の太陽電池モジュールを貼り付ける面（太陽電池モジュール固定面８０１）を傾斜面とするために使用する部材であり、太陽電池モジュール固定面８０１と反対側の面８０３と当接する。
【００５３】
この支持部材１０３としては、コンクリートブロックなどの安価で、高強度のものが好適に用いられる。また、板状部材１０２と同じ部材を使用すれば、施工費、材料費を削減することが可能となる。
【００５４】
〔接着剤〕
太陽電池モジュールを板状部材上へ固定する場合に使用する。求められる品質としては、耐候性、耐水性、耐アルカリ性、耐光性、弾性、電気絶縁性等が挙げられる。材料としては、エポキシ系接着剤、シリコン系接着剤等が使用できる。
【００５５】
太陽電池モジュールを板状部材に接着固定するときには、太陽電池モジュールの周囲に接着剤が配置されていると都合がよい。理由は、後々に太陽電池モジュールを交換する場合に、周りからカッターナイフ等で入れて接着部を切断すれば比較的容易に太陽電池モジュールを取り外せるからである。
【００５６】
［接続ケーブル］
接続ケーブルは、太陽電池モジュールの電流の大きさによって線径が選ばれる。材料は一般的に銅が好適である。
【００５７】
接続ケーブルは、絶縁被覆が施されているもの、施されていないもの、どちらでも有用である。
【００５８】
［架台間距離］
架台間距離（図１中に符号１０６で示す距離）は、板状部材１０２の影による太陽電池モジュールの発電量のロスを考慮して決定する。一般的に、発電量のロスが１％未満になるように設定する。板状部材の傾斜角（図１中に符号１０７で示す角度）が大きいほど、板状部材１０２の影が次の列にかかるので、架台間距離は長くなる。板状部材１０２を傾斜させる支持部材１０３の長さや方向を変更して、計算した架台の長さ以上になるように板状部材、支持部材を配置する。
【００５９】
本発明における架台間距離を図５を用いて説明する。架台間距離１０６は、図に示すように前列の板状部材１０２ａの最上部と、隣接する列の板状部材１０２ｂに密着している太陽電池モジュール１０１の最下端間の距離である。
【００６０】
【実施例】
以下、実施例に基づき本発明を詳細に説明する。
【００６１】
〔実施例１〕
図１０、図１１は本実施例の太陽電池モジュール設置構造体を説明するための概略図である。図１０は、設置構造体を側面から見た図である。図１１は、設置構造体の一部を太陽電池モジュール受光面側から見た図である。
【００６２】
図において、１００１は太陽電池モジュール、１００２は第一列の板状部材、１００３は第一列の支持部材、１００８は第二列の板状部材、１００９は第二列の支持部材、１０１０は第三列の板状部材、１０１１は第三列の支持部材、１０１２は第四列の板状部材、１０１３は第四列の支持部材、１００４は接続ケーブル、１００５はリングスリーブ、１００６は板状部材傾斜角、１００７は架台間距離、１０１６は並列接続用ケーブル、１０１７は太陽電池モジュール直列接続方向、１０１８は太陽電池モジュール並列接続方向である。
【００６３】
以下に、本実施例の太陽電池モジュール設置構造体を構成する各部材について詳しく説明する。
【００６４】
（太陽電池モジュール）
図１２は本実施例で使用する太陽電池モジュールの概略図である。同図において、（ａ）は太陽電池モジュールの平面図、（ｂ）は（ａ）におけるＡ−Ａ’断面図である。
【００６５】
太陽電池モジュール１１０１は、裏面電極でもある金属製基板１１０６に形成された半導体光活性層１１０７を有し、半導体光活性層１１０７にて発生した電流を収集するための集電電極１１０５が受光面側に配されている。金属製基板１１０６としては、ここでは０．１５ｍｍ厚のステンレス鋼を用い、半導体光活性層１１０７としては、アモルファスシリコンと微結晶シリコンのタンデム構造を、さらに集電電極１１０５としては、１００μｍφの銅線を導電性ペーストを用いて半導体光活性層１１０７上に固定している。
【００６６】
また、集電電極１１０５は１００μｍ厚の銅製の正極タブ１１０２に接続される。また、正極タブ１１０２と、金属製基板１１０６とを確実に絶縁するために、ポリエステル製の絶縁部材１１０４が配されている。
【００６７】
更に集電電極１１０５の上から、耐候性を持たせるために、アクリルシリコン系の耐候性塗料１１０８を形成することにより、太陽電池モジュールを作製している。
【００６８】
最後に、本太陽電池モジュールは、直並列作業を現場で容易に行うため、φ１．６ｍｍの裸銅単線１１０９を略コの字形状に加工して、正極タブ１１０２、負極タブ１１０３に予め無鉛はんだで電気的に接合している。
【００６９】
本例の太陽電池モジュールの寸法は、金属製基板１１０６の寸法は、２４０ｍｍ×３６０ｍｍである。また、本太陽電池モジュールのＩｐｍ（太陽電池モジュールの最大出力点における電流値）は９．２１Ａである。
【００７０】
（板状部材、支持部材）
板状部材、及び支持部材は、ＪＩＳ　Ａ５４０６建築用コンクリートブロックに規定されている空洞コンクリートブロック３９０ｍｍ×１９０ｍｍ×１００ｍｍ厚Ｃ種を使用した。
【００７１】
（施工方法）
次に上記の材料を使用した本実施例の太陽電池モジュール設置構造体の作製手順を説明する。
【００７２】
（太陽電池モジュールの直並列数の決定）
本実施例では、太陽電池モジュールを４０直列し、それを４並列することによって、ひとつの太陽電池モジュール設置構造集合体とすることにした。図１１に示すように、太陽電池モジュール２枚に対して板状部材を３個使用するので、板状部材の個数は、４０直列÷２×３＝６０個、これが４並列分必要なので、２４０個用意した。また、支持部材は、板状部材と同様の部材で１１６個用意し、図に示すように板状部材と９０度の方向にして設置した。
【００７３】
（板状部材の傾斜角度の決定と、位置決め、配置（接着剤の塗布方法））
本実施例では、板状部材の傾斜角を１６°に設定した。設置場所を北緯３４．７４°、東経１３５．８°の地点とし、その場所の年間日射データから、太陽電池モジュールアレイの発電量ロスが年間発電量に対して１％未満になる架台間距離を計算した結果、１６０ｍｍであった。本実施例の架台間距離（図１０中の符号１００７で示す距離）は、約２１２ｍｍであるので、十分必要な架台間距離を保っている。設置する順序を図１０及び図１１を用いて説明する。
【００７４】
まず、第一列の支持部材１００３を大地１０１４の予め決定された位置に置く。次に第一列の板状部材１００２を第一列の支持部材１００３に立てかけて設置し、勾配計を用いて、太陽電池モジュール固定面が１６°になるように設置する。
【００７５】
次に、第二列の板状部材１００８と第二列の支持部材１００９を設置するのであるが、まず、第二列の板状部材１００８の大地１０１４との接触する辺を含み、支持部材１００９と当接しない面１０１５の上部が第一列の支持部材１００３に接触するようにして、支持部材１００９を板状部材１００８の下にもぐらせる。そして第二列の板状部材１００８と第一列の支持部材１００３が接触し、かつ第二列の板状部材１００８の傾斜角が１６°になるように、勾配計で調節する。
【００７６】
同様にして、第三列の板状部材１０１０、第三列の支持部材１０１１、第四列の板状部材１０１２、第四列の支持部材１０１３という順序で配置する。
【００７７】
次にこの最初に並べた端の架台（板状部材と支持部材）に沿って、図１０の紙面奥行き方向に必要数配置した。一列目に板状部材が所望の傾斜角で設置済みなので、これにならって配置していけばよいので、作業性が非常に良い。
【００７８】
また、支持部材と板状部材が接触するように設置するので、地面などに印や線などをつける必要がないので（最初に置くものだけつけておけばよい）、作業性が非常によい。
【００７９】
（太陽電池モジュールの貼り付け、貼り付け位置、貼り付ける順番）
次に設置済みの板状部材上に太陽電池モジュールを弾性接着剤によって貼り付けた。接着剤は、太陽電池モジュールの裏面金属基板全体に塗布するのではなく、裏面金属基板の四隅と中心、計５点に適当量を盛って押圧し、板状部材に貼り付けた。
【００８０】
太陽電池モジュールの貼り付け位置は図１０及び図１１に示すように、設置した際、板状部材の中央部に太陽電池モジュールがくるように接着した。
【００８１】
（太陽電池モジュール同士の直並列接続作業）
次に、太陽電池モジュール同士の直並列接続作業を、図１１を用いて説明する。図に示すように、太陽電池モジュールの正極タブ、負極タブに半田で接続されている銅単線φ１．６ｍｍ同士を直列方向（図中の矢印１０１７の方向）に、リングスリーブ１００５を専用圧着工具でかしめていくことによって、直列作業が完了する。
【００８２】
バイパスダイオードは、太陽電池モジュール並列群２直列につき１個並列に接続した。このバイパスダイオードは、最大９．２１×４並列＝３６．８４Ａ流れることを考慮して、定格１００Ａのものを選択し、接続した。
【００８３】
上記のように接続するために、図１１に示すように、太陽電池モジュール並列群の太陽電池モジュール２直列につき１本の並列接続用ケーブル１０１６を、次の列の太陽電池モジュール並列群の接続線１０１６とリングスリーブ１００５で接続した。
【００８４】
〔実施例２〕
本実施例では、実施例１の太陽電池モジュール設置構造体から、板状部材の傾斜角、架台間距離（支持部材の向き）、太陽電池モジュールの構成を変更した。
【００８５】
図１３は本実施例の太陽電池モジュール設置構造体の側面図である。図１３において、１２０１は太陽電池モジュール、１２０２は板状部材、１２０３は支持部材、１２０４は接続ケーブル、１２０５は接続部材（リングスリーブ）、１２０６は架台間距離、１２０７は板状部材の傾斜角である。
【００８６】
（太陽電池モジュール）
図１３は本実施例で使用する太陽電池モジュールの概略図である。同図において、（ａ）は太陽電池モジュールの平面図、（ｂ）は（ａ）におけるＢ−Ｂ’断面図である。
【００８７】
太陽電池モジュール１３０１は、裏面電極でもある金属製基板１３０６に形成された半導体光活性層１３０７を有し、半導体光活性層１３０７にて発生した電流を収集するための集電電極１３０５が受光面側に配されている。金属製基板１３０６としては、ここでは０．１５ｍｍ厚のステンレス鋼を用い、半導体光活性層１３０７としては、アモルファスシリコンと微結晶シリコンのタンデム構造を、さらに集電電極１３０５としては、１００μｍφの銅線を導電性ペーストを用いて半導体光活性層１３０７上に固定している。
【００８８】
また、集電電極１３０５は１００μｍ厚の銅製の正極タブ１３０２に接続される。また、正極タブ１３０２と、金属製基板１３０６とを確実に絶縁するために、ポリエステル製の絶縁部材１３０４が配されている。
【００８９】
更に集電電極１３０５の上から、耐候性を持たせるために、アクリルシリコン系の耐候性塗料１３０８を形成した。
【００９０】
本太陽電池モジュールは、直並列作業を現場で容易に行うため、φ１．６ｍｍの裸銅単線１３０９を略コの字形状に加工して、正極タブ１３０２、負極タブ１３０３に予め無鉛はんだで電気的に接合している。
【００９１】
さらに、受光面側にＥＴＦＥ樹脂１３１１とＥＶＡ樹脂１３１０の積層体を、非受光面に４６０μｍ厚のＥＶＡ樹脂１３１０を真空ラミネーターによって封止することによって太陽電池モジュールを作製した。
【００９２】
本例の太陽電池モジュールの寸法は、金属製基板１３０６の寸法は、２４０ｍｍ×３６０ｍｍであり、被覆材（ＥＶＡ樹脂１３１０）の寸法は、２６０ｍｍ×３７０ｍｍである。また、本太陽電池モジュールのＩｐｍ（太陽電池モジュールの最大出力点における電流値）は９．２１Ａである。
【００９３】
（板状部材、支持部材）
実施例１と同様であるので説明は省略する。
【００９４】
（施工方法）
次に上記の材料を使用した本実施例の太陽電池モジュール付きコンクリート設置構造体の作製手順を説明する。
【００９５】
（太陽電池モジュールの直並列数の決定）
本実施例では、太陽電池モジュールを４０直列し、それを４並列することによって、ひとつの太陽電池モジュール設置構造集合体とすることにした。
【００９６】
（板状部材の傾斜角度の決定と、位置決め、配置（接着剤の塗布方法））
本実施例では、板状部材の傾斜角を２５°に設定した。設置場所を北緯３４．７４°、東経１３５．８°の地点とし、その場所の年間日射データから、太陽電池モジュールの発電量ロスが年間発電量に対して１％未満になる架台間距離を計算した結果、２６６ｍｍであった。
【００９７】
本実施例では、実施例１同様、太陽電池モジュール２枚に対して板状部材を３個使用するので、板状部材の個数は、４０直列÷２×３＝６０個、これが４並列分必要なので、２４０個用意した。また、支持部材は、図１３に示すように、板状部材と同じ数量であるので、２４０個用意した。
【００９８】
本実施例では、傾斜角が実施例１の１６°よりも大きいので、図１３に示すように、支持部材１２０３の置く方向は、板状部材１２０２の方向と同一になる。本実施例の架台間距離（図中の符号１２０６で示される距離）は、支持部材１２０３を板状部材１２０２と同じ方向に並べたので、約３１５ｍｍになり、十分必要な架台間距離を保っている。
【００９９】
これらの支持部材１２０３と板状部材１２０２を設置する順序は実施例１と同様であるので説明は省略する。
【０１００】
（太陽電池モジュールの貼り付け、貼り付け位置、貼り付ける順番）
次に設置済みの板状部材上に太陽電池モジュールを弾性接着剤によって貼り付けた。接着剤は、太陽電池モジュールの裏面ＥＶＡ全面に塗布するのではなく、四隅と中心、計５点に適当量を盛って押圧し、板状部材に貼り付けた。
【０１０１】
貼り付ける際には、まずＥＶＡの表面改質のためにプライマー（下塗り剤）を塗布し、その上に弾性接着剤を塗布した。
【０１０２】
太陽電池モジュールを貼り付ける順番は、実施例１と同様である。
【０１０３】
（太陽電池モジュール同士の並列接続作業）
実施例１と同様であるので説明は省略する。
【０１０４】
（バイパスダイオードの接続）
実施例１と同様であるので説明は省略する。
【０１０５】
〔実施例３〕
本実施例では、板状部材を設置する設置面をコンクリート面にした。図１５は本実施例の太陽電池モジュール設置構造体の側面図である。図１５において、１４０１は太陽電池モジュール、１４０２は板状部材、１４０３は支持部材、１４０４は接続ケーブル、１４０５は接続部材（リングスリーブ）、１４０６は架台間距離、１４０７は板状部材の傾斜角、１４０８は絶縁部材、１４０９は板状部材設置面であるところのコンクリート面である。
【０１０６】
本実施例は、実施例１の状態からさらに太陽電池モジュールの非絶縁電路とコンクリート面１４０９へリークする漏れ電流量をさらに少なくするために、板状部材１４０２とコンクリート面１４０９が接する辺１４１０とコンクリート面１４０９の間及び支持部材１４０３とコンクリート面１４０９の間に、厚さ５ｍｍ、幅５０ｍｍの絶縁部材であるゴム１４０８を配した例である。ゴム材としては、シリコン、ＥＰＤＭなどがある。
【０１０７】
ゴム材等の絶縁部材１４０８を敷くと、降雨によってコンクリート面１４０９がぬれた状態になった場合、板状部材１４０２とコンクリート面１４０９が直接接する場合よりも摩擦力が更に低下し、板状部材１４０２が横ずれする可能性がおおきくなる。
【０１０８】
現象としては、板状部材と絶縁部材間の摩擦力よりも、ゴム等の絶縁部材とコンクリート間の摩擦力が小さくなり、板状部材とコンクリート設置面が直接接触しているときに比べて、横ずれするのに必要な力が小さくなる。
【０１０９】
一方、本発明のように、ある列の板状部材１４０２の太陽電池モジュール固定面側上部と隣接する次の列の支持部材１４０３が当接するように配設することにより、上記の横ずれを効果的に防止することができる。
【０１１０】
〔実施例４〕
実施例１の太陽電池モジュール設置構造体（４０直列４並列）を使用して太陽光発電システムを構築した例である。図１６は本実施例の太陽電池モジュールアレイ概略図である。本実施例では、実施例１の太陽電池モジュール設置構造体を４つ用意し、接続箱内で４並列した例である。
【０１１１】
図１６において、１５０１は太陽電池モジュール設置構造体、１５０２は配線、１５０３は接続箱（ペデスタルボックス）、１５０４は絶縁トランス、１５０５はパワーコンディショナ、１５０６は接地点、１５０７はバイパスダイオード、１５０８は開閉器、１５０９は逆流防止ダイオードである。
【０１１２】
図のように配線することで本発明の太陽電池モジュール設置構造体を使用した太陽光発電システムを構築することができる。本システムでは、まず太陽電池モジュール付き設置構造体１５０１で発生した電力は接続箱１５０３にまとめられ、パワーコンディショナ１５０５によって直交流変換され、電力使用される。
【０１１３】
本システムにおいて、正極端を接地し、太陽電池モジュールの対地電圧を負にすることによって、カソード防食を施した。
【０１１４】
【発明の効果】
本発明によれば、簡易な太陽電池モジュール用架台の設置構造によって、風荷重による板状部材の横ずれを効果的に防止することができ、このような横ずれによって引き起こされる配線等の切断を防止することができる。
【０１１５】
また、板状部材がコンクリート部材であることによって、架台のコストアップを極力抑えることができると同時に、特に軽量な空洞コンクリートを使用すれば、設置作業性、施工性が向上し、結果としてコストダウンを図ることができる。
【０１１６】
また、板状部材を支持部材に突き当てながら設置面上に配設できるので、最初に設置する支持部材、板状部材さえ位置決めすれば、後の設置は、板状部材を支持部材に突き当てていくだけで設置することができるので、面倒な位置決め作業の時間を短縮することができる。
【０１１７】
また、太陽電池モジュールを板状部材表面に接着剤で固定することによって、風荷重による太陽電池モジュールの引き剥がしの心配がなく、特に弾性接着剤や弾性のある両面テープで固定した場合には、太陽電池モジュールと板状部材の熱膨張率の差を接着層が吸収するので信頼性が向上する。また、太陽電池モジュールをその周囲（周縁部）において板状部材に固定することで、太陽電池モジュールの張替え交換が容易になる。
【０１１８】
また、設置面と接する板状部材の一辺と、設置面の間に、絶縁部材を配置することにより、一部電路が露出した太陽電池モジュールや絶縁被覆が施されていない電線を用いる場合に、その部分からのリーク電流量をさらに少なくすることができ、極めて効率及び信頼性の高い太陽電池モジュール設置構造体、太陽電池モジュールアレイ及び太陽光発電システムを構築できる。
【図面の簡単な説明】
【図１】本発明の実施形態の太陽電池モジュール設置構造体を示す模式図である。
【図２】従来の架台設置型太陽電池モジュール設置構造体の概略図である。
【図３】従来の太陽電池モジュール専用のコンクリート架台の概略図である。
【図４】板状部材に作用する風荷重を説明するための概念図である。
【図５】架台間距離の説明図である。
【図６】本発明で使用する太陽電池モジュールの一例を示す模式図である。
【図７】本発明で使用する太陽電池モジュールの一例を示す模式図である。
【図８】本発明で使用する板状部材の概念図である。
【図９】本発明に好適に用いられるコンクリート部材の一例を示す模式図である。
【図１０】実施例１の太陽電池モジュール設置構造体の一部を模式的に示す側面図である。
【図１１】実施例１の太陽電池モジュール設置構造体の一部を模式的に示す平面図である。
【図１２】実施例１の太陽電池モジュール設置構造体に用いた太陽電池モジュールの模式図である。
【図１３】実施例２の太陽電池モジュール設置構造体の一部を模式的に示す側面図である。
【図１４】実施例２の太陽電池モジュール設置構造体に用いた太陽電池モジュールの模式図である。
【図１５】実施例３の太陽電池モジュール設置構造体の一部を模式的に示す側面図である。
【図１６】実施例４の太陽光発電システムの概略図である。
【符号の説明】
１０１、４０２、１００１、１１０１、１２０１、１３０１、１４０１　太陽電池モジュール
１０２、４０３、１００２、１００８、１０１０、１０１２、１２０２、１４０２　板状部材
１０３、４０６、１００３、１００９、１０１１、１０１３、１２０３、１４０３　支持部材
１０４、１００４、１０１６、１２０４、１４０４　接続ケーブル
１０５、１００５、１２０５、１４０５　接続部材（リングスリーブ）
１０６、１００７、１２０６、１４０６　架台間距離
１０７、１００６、１２０７、１４０７　板状部材の傾斜角
４０１　風
４０４　板状部材の太陽電池モジュール固定面の側面
４０７、８０５、１０１４　板状部材の設置面
４０８　風荷重
４０９、８０１　板状部材の太陽電池モジュール固定面
８０２　板状部材設置面と板状部材が接触する一辺を含み、支持部材と当接しない面
８０３　板状部材の太陽電池モジュール固定面の反対側の面
８０４　板状部材設置面と板状部材が接触する一辺
１０１７　太陽電池モジュール直列接続方向
１０１８　太陽電池モジュール並列接続方向
１１０２、１３０２、６００４　正極タブ
１１０３、１３０３、６００６　負極タブ
１１０４、１３０４、６００５　絶縁部材
１１０５、１３０５、６００３　集電電極
１１０６、１３０６、６００１　金属製基板
１１０７、１３０７、６００２　半導体光活性層
１１０８、１３０８、６００７　耐候性塗膜
１１０９、１３０９、６００８　裸銅単線
１３１０、７００１　ＥＶＡ樹脂
１３１１、７００２　ＥＴＦＥ樹脂
１４０８　絶縁部材
１４０９　コンクリート面
１５０１　太陽電池モジュール付き設置構造体
１５０２　配線
１５０３　接続箱（ペデスタルボックス）
１５０４　絶縁トランス
１５０５　パワーコンディショナ
１５０６　接地点
１５０７　バイパスダイオード
１５０８　開閉器
１５０９　逆流防止ダイオード
９００１　空洞コンクリート
９００２　横筋用コンクリート
【図１】
2004006702.tif 000003
【図２】
2004006702.tif 000004
【図３】
2004006702.tif 000005
【図４】
2004006702.tif 000006
【図５】
2004006702.tif 000007
【図６】
2004006702.tif 000008
【図７】
2004006702.tif 000009
【図８】
2004006702.tif 000010
【図９】
2004006702.tif 000011
【図１０】
2004006702.tif 000012
【図１１】
2004006702.tif 000013
【図１２】
2004006702.tif 000014
【図１３】
2004006702.tif 000015
【図１４】
2004006702.tif 000016
【図１５】
2004006702.tif 000017
【図１６】
2004006702.tif 000018